(57)【特許請求の範囲】
【請求項１】
内部に流路が形成されたボディ部と、
前記流路内に突設された支持部と、
該支持部に、第１の回動軸を中心に回動自在に一端側が取り付けられ、他端側が該第１の回動軸を中心として前記流路を閉塞する閉塞位置と流路を開放する開放位置との間で回動するフラッパとを具備するフラッパ式フロースイッチにおいて、
前記支持部に、前記第１の回動軸を中心としてＮ極とＳ極が点対称となるように取り付けられた固定マグネットと、
前記フラッパの前記一端側に、前記第１の回動軸を中心としてＮ極とＳ極が点対称となるように取り付けられると共に、前記固定マグネットとの間の反発・吸引力によってフラッパの前記他端側を前記閉塞方向に常時付勢する可動マグネットとを具備することを特徴とするフラッパ式フロースイッチ。
【請求項２】
前記ボディ部の外部側面に、前記第１の回動軸を中心として回動自在に取り付けられると共に、端縁の一部が第１の回動軸を中心とした円弧に形成され、該円弧部分はウォームギアに形成された回動台と、
該回動台に取り付けられ、前記可動マグネットが予め設定された位置に回動したことを検出する磁気センサと、
前記ウォームギアと噛合して前記回動台を回動させるウォームとを具備することを特徴とする請求項１記載のフラッパ式フロースイッチ。
【請求項３】
前記ボディ部の外部側面に、前記第１の回動軸を中心として回動自在に取り付けられた回動台と、
該回動台に取り付けられ、前記可動マグネットが予め設定された位置に回動したことを検出する磁気センサと、
前記回動台を任意の位置で固定する固定手段とを具備することを特徴とする請求項１記載のフラッパ式フロースイッチ。
【請求項４】
前記磁気センサにはリードスイッチが使用され、
該リードスイッチは、中心が前記第１の回動軸上となり、かつ前記可動マグネットと接近するように取り付けられていることを特徴とする請求項２または３記載のフラッパ式フロースイッチ。
【請求項５】
前記フラッパは、前記流路を流れる液体の比重と略同じ比重の合成樹脂材料を用いて形成されることを特徴する請求項１、２、３または４記載のフラッパ式フロースイッチ。
【発明の詳細な説明】
【０００１】
【発明の属する技術分野】
本発明は、配管等の内部の液体の流れを確認するためのフラッパ式フロースイッチに関する。
【０００２】
【従来の技術】
例えば、風呂や温泉等において湯を連続的に循環させて使用する循環式湯沸かし装置において、配管内の湯の流れの状態を確認するためにフロースイッチが設けられている。このフロースイッチにより湯の流れを確認することにより、例えば濾過用のフィルタの目詰まりを検知したり、また湯の加熱用ヒータのオン・オフ制御を行っている。
そしてフロースイッチには羽根車式のものもあるが、特に風呂や温泉等の湯の検出用には、髪の毛等の体毛が巻き付きにくいフラッパ式のものが一般的に使用されている。
このフラッパ式フロースイッチとしては、例えば特開平７−２９４５４２号がある。このフロースイッチ１００は図９に示すように、ボディ部１０２の流路１０４内に一端（図中の右端）が軸着され、他端（図中の左端）が当該軸着位置Ａを中心として回動し、流路１０４を閉塞する閉塞位置Ｂと開放する開放位置Ｃとの間を回動移動するフラッパ１０６と、このフラッパ１０６の他端に設けられた可動マグネット１０８とを有している。また、フラッパ１０６が閉塞位置Ｂに移動した際にその他端と当接する流路の一方（図中の下方）の壁面側には、可動マグネット１０８を吸着する固定マグネット１１０が配され、そしてフラッパ１０６が開放位置Ｃに移動した際に他端と当接するボディ部１０２の他方の壁面外方には可動マグネット１０８の磁力によりオン・オフするリードスイッチ１１２が配されている。
【０００３】
この構成により、流路１０４内を流体が流れていない場合には、可動マグネット１０８が固定マグネット１１０に吸引されてフラッパ１０６は閉塞位置Ｂにあり、リードスイッチ１１２への可動マグネット１０８の磁力の影響が少ないためにリードスイッチ１１２はオフ状態にある。そして流体が所定の流量以上流れると、流体からの流体圧を受けてフラッパ１０６が可動・固定両マグネット１０８、１１０同士の吸引力に抗して開放位置Ｃに回動し、この回動移動により可動マグネット１０８がリードスイッチ１１２に接近してリードスイッチ１１２がオン状態となる。よって、リードスイッチ１１２のオン・オフ状態を検知することにより、流路１０４内の流体の流れを確認できる。
【０００４】
【発明が解決しようとする課題】
しかしながら、上記従来のフラッパ式フロースイッチには次のような課題がある。
まず、可動マグネット１０８がフラッパ１０６の回動する先端部分に取り付けられているため、フラッパ１０６にはマグネット同士の吸引力以外に可動マグネット１０８の重力が加わる。よって、ボディ部１０２の向き、つまりフラッパ１０６の取り付け向きによってフラッパ１０６を閉塞位置Ｂから開放位置Ｃに回動させるために必要とされる流体の流体圧つまり流量が変化し、正確な流量の検出が行えないという課題があった。
また、可動マグネット１０８は流路内壁面の対向する部位間を移動するため、移動距離が長い。よって、可動マグネット１０８が前記部位の一方に設けられた固定マグネット１１０から受ける吸引力はフラッパ１０６の回動角度により大きく変化する。つまり、マグネット間の距離が近い場合には吸引力は極端に大きく、離れると極端に弱くなるという関係にある。このためフラッパ１０６に作用する回動力もフラッパ１０６の回動角度によって大きく変化し、フラッパの回動角度に基づいて流量を検出する場合に正確な流量検出が行えないといった課題もある。
また、マグネットの磁力には一般的にバラツキがある。このため、流体圧によりフラッパ１０６が回動して可動マグネット１０８がリードスイッチ１１２に接近した際に、リードスイッチ１１２がオン状態となるフラッパ１０６の回動角度もばらつくので、検出する流量にバラツキが生じてしまうという課題もある。
【０００５】
従って、本発明は上記課題を解決すべくなされ、その目的とするところは、取り付け位置に左右されることなく正確な流量の検出が行え、またフラッパの回動角度に基づいた流量検出が容易に行え、またマグネットの磁力のバラツキに伴う流量検出のバラツキも容易に補正できるフラッパ式フロースイッチを提供することにある。
【０００６】
【課題を解決するための手段】
本発明は上記目的を達成するため次の構成を備える。
すなわち、内部に流路が形成されたボディ部と、前記流路内に突設された支持部と、該支持部に、第１の回動軸を中心に回動自在に一端側が取り付けられ、他端側が該第１の回動軸を中心として前記流路を閉塞する閉塞位置と流路を開放する開放位置との間で回動するフラッパとを具備するフラッパ式フロースイッチにおいて、前記支持部に、前記第１の回動軸を中心としてＮ極とＳ極が点対称となるように取り付けられた固定マグネットと、前記フラッパの前記一端側に、前記第１の回動軸を中心としてＮ極とＳ極が点対称となるように取り付けられると共に、前記固定マグネットとの間の反発・吸引力によってフラッパの前記他端側を前記閉塞方向に常時付勢する可動マグネットとを具備することを特徴とする。
【０００７】
この構成を採用すると、可動マグネットがフラッパの第１の回動軸を中心としてＮ極とＳ極が点対称となるように取り付けられているため、可動マグネットに作用する重力がフラッパの回動に影響を与えることが少なくなる。よって、フラッパの取り付け向きを変えても正確な流量の検出が行える。また、固定マグネットも支持部に、同じ第１の回動軸を中心としてＮ極とＳ極が点対称となるように取り付けられており、フラッパが回動しても固定マグネットと可動マグネットとが離間しない。よって、固定マグネットと可動マグネットとの間に常時フラッパを回動させるための反発・吸引力が生じており、フラッパの回動角度によるフラッパに作用する回動力の変化の度合いが少なくなる。このため、回動角度に基づいて流量を検出する場合により正確な流量検出が行える。
【０００８】
また、前記ボディ部の外部側面に、前記第１の回動軸を中心として回動自在に取り付けられると共に、端縁の一部が第１の回動軸を中心とした円弧に形成され、該円弧部分はウォームギアに形成された回動台と、該回動台に取り付けられ、前記可動マグネットが予め設定された位置に回動したことを検出する磁気センサと、前記ウォームギアと噛合して前記回動台を回動させるウォームとを具備する構成とすれば、可動マグネットの回動角度を検出する磁気センサと可動マグネットとの位置関係を容易、かつ正確に変更できる。よって、可動マグネットや固定マグネットの磁力にバラツキがあり、流量が一定でも通常フローセンサ毎にフラップの回動角度が変化するが、回動台をボディ部に対して微妙に回動させることによって可動マグネットに対する磁気センサの位置を微調し、検出流量を正確に所定の流量に設定することが可能となる。また、併せて磁気センサの感度のバラツキも補正できる。
【０００９】
また、同じく前記ボディ部の外部側面に、前記第１の回動軸を中心として回動自在に取り付けられた回動台と、該回動台に取り付けられ、前記可動マグネットが予め設定された位置に回動したことを検出する磁気センサと、前記回動台を任意の位置で固定する固定手段とを具備する構成としても良い。
また、上記の磁気センサにリードスイッチを使用する場合には、リードスイッチは、中心が前記第１の回動軸上となり、かつ前記可動マグネットと接近するように取り付けるようにすると良い。
【００１０】
また、前記フラッパは、前記流路を流れる液体の比重と略同じ比重の合成樹脂材料を用いて形成すれば、フラッパの姿勢、方向に影響されずにさらに正確な流量検出が行える。
【００１１】
【発明の実施の形態】
以下、本発明に係るフラッパ式フロースイッチの好適な実施の形態を添付図面に基づいて詳細に説明する。
まず、フラッパ式フロースイッチ１０のフラッパ１２およびフラッパ１２の取付構造について図１と図２を用いて説明する。
１４は内部に流路１６が形成された合成樹脂製のボディ部である。流路１６内には矢印方向に液体が流れる。
１８は流路１６内に突設された合成樹脂製の支持部である。
支持部１８の詳細な構造は、一例として図３や図４に示すように液体の流れる方向に沿った両側面が互いに平行となる平面で形成され、この両側面間にはフラッパ１２を軸着するシャフト２０が挿通可能な挿通孔２２が穿設されている。また一方の側面（図４の左側面）には挿通孔２２を中心とした第１の長溝２４が形成されている。
【００１２】
合成樹脂製のフラッパ１２は支持部１８に、第１の回動軸Ｄ（シャフト２０の中心軸でもある）を中心に回動自在に一端側（図中の右端側）が取り付けられ、他端側（図中の左端側）が第１の回動軸Ｄを中心として流路１６を閉塞する閉塞位置Ｅと流路１６を開放する開放位置Ｆとの間で回動可能である。
フラッパ１２の詳細な構造は、一例として図３や図４に示すように幅広の板状に形成され、その上端部分の両側面には、支持部１８の両側面間の距離に合わせて離間させて一対の取付片２６ａ、２６ｂが平行に設けられている。各取付片２６ａ、２６ｂにはシャフト２０が挿通可能な透孔２８がそれぞれ設けられ、さらに各取付片２６ａ、２６ｂの外側面には略支持部１８に設けられた第１の長溝２４と同形の第２の長溝３０が形成されている。
３２は固定マグネットであり、第１の長溝２４内に装着され、第１の回動軸Ｄを中心としてＮ極とＳ極が点対称位置となるように支持部１８に取り付けられている。なお、固定マグネット３２には第１の長溝２４に装着された際に挿通孔２２と連通し、シャフト２０が挿通可能な貫通孔３４が設けられている。
【００１３】
３６ａ、３６ｂは可動マグネットであり、固定マグネット３２と略同形に形成されて、一対の取付片２６ａ、２６ｂの第２の長溝３０内に装着され、第１の回動軸Ｄを中心としてＮ極とＳ極が点対称となるようにフラップ１２に取り付けられている。また可動マグネット３６ａ、３６ｂの中央部分にも、固定マグネット３２と同様に第２の長溝３０内に装着された際に透孔２８と連通し、シャフト２０が挿通可能な貫通孔３４が設けられている。
そしてこの可動マグネット３６のフラッパ１２への取付角度は、固定マグネット３２との間の反発・吸引力によってフラッパ１２の他端側が閉塞位置Ｅ方向へ常時付勢されるように設定されている。具体的には、フラッパ１２が閉塞位置Ｅに移動した際に、可動マグネット３６ａ、３６ｂのＮ極とＳ極が、固定マグネット３２のＳ極とＮ極とそれぞれ略一致するように各マグネット３６ａ、３６ｂが取り付けられる。
よって、フラッパ１２が閉塞位置Ｅから開放位置Ｆ方向に回動した場合は、可動マグネット３６ａ、３６ｂのＮ極とＳ極も第１の回動軸Ｄを中心として回動して固定マグネット３２のＳ極とＮ極に対してずれるので、固定マグネット３２のＳ極とＮ極から可動マグネット３６ａ、３６ｂのＮ極とＳ極に吸引力が生ずる。この吸引力によりフラッパ１２が常時閉塞位置Ｅ方向に付勢されるのである。なお、吸引力と併せて可動マグネット３６ａ、３６ｂのＮ極とＳ極には固定マグネット３２のＮ極とＳ極から反発力も作用している。
【００１４】
３８はボディ部１４の可動マグネット３６ａ側の外面に設けられた磁気センサの一例としてのリードスイッチである。リードスイッチ３８もその中心が第１の回動軸Ｄ上となり、かつ第１の回動軸Ｄと直交するように取り付けられている。また取付向きは、一例としてフラッパ１２が開放位置Ｆに回動した際に可動マグネット３６ａの長手方向と略一致するように配されている。
これによって、フラッパ１２が開放位置Ｆに回動し、可動マグネット３６ａが固定マグネット３２に対して回動してずれて、リードスイッチ３８と略平行となるとリードスイッチ３８がオン状態となる。つまり、通常は離間しているリードスイッチ３８内部の２つの端子（不図示）の先端は、可動マグネット３６ａがリードスイッチ３８と平行になると可動マグネット３６ａの両端のＮ極とＳ極によって異なる磁極に磁化される。そして両端子の先端間に生じた吸引力により、端子自体が有する弾性力に抗して互いの先端同士が接近して当接し、オン状態となる。
なお、フラッパ１２が閉塞位置Ｅにあり、可動マグネット３６ａ、３６ｂと固定マグネット３２が略重なっている場合には両マグネット３６ａ、３６ｂの磁束の外部への漏れが少ないため、リードスイッチ３８に到達する磁束も少なく、リードスイッチ３８はオフ状態となっている。
【００１５】
このように、フラッパ１２に閉塞位置Ｅ方向の付勢力を与える固定マグネット３２と可動マグネット３６ａ、３６ｂをフラッパ１２の回動の中心である第１の回動軸Ｄ上に上記の位置関係で配置することにより、可動マグネット３６ａ、３６ｂに作用する重力がフラッパ１２の回動に影響を与えることが少なくなり、フラッパ１２の取り付け向きを変えても正確な流量の検出が行える。
また、固定マグネット３２も支持部１８に、同じ第１の回動軸Ｄ上となるように配されており、フラッパ１２が回動しても固定マグネット３２と可動マグネット３６ａ、３６ｂとが離間せず、固定マグネット３２の磁界が強い範囲内に常に可動マグネット３６ａ、３６ｂがあるため、可動マグネット３６ａ、３６ｂと固定マグネット３２との間に生ずるフラッパ１２を閉塞位置Ｅに戻そうとする回動力が従来例に比べてより均一になる。従って、流量に対してフラッパが正確に回動することができ、流量検出の精度が向上する。
【００１６】
また、ボディ部１４の外面に設けるリードスイッチ３８は、上記の実施の形態ではフラッパ１２が開放位置Ｆにあることを検出するだけなので、一つ設けておくだけでよいが、フラッパ１２が閉塞位置Ｅと開放位置Ｆの途中にある所定の回動位置にあることを検出しようとする場合には、フラッパ１２に設けられたもう一つの可動マグネット３６ｂを利用し、この可動マグネット３６ｂによりオン・オフ制御される別のリードスイッチ４０を、ボディ部１４に対してリードスイッチ３８と反対側の外側面に設けるとよい。
この場合、別のリードスイッチ４０の取付角度は、フラッパ１２が検出しようとする回動角度になった時に、可動マグネット３６ｂと略平行となる向きに取り付けるようにする。
このようにボディ部１４の両側面に、第１の回動軸Ｄを中心とした取付角度を変えて２つのリードスイッチ３８、４０を配することにより、フラッパ１２が異なる２つの回動位置にあることを検出でき、その結果として液体の流量の２段階検出が可能となる。
なお、フラッパ１２が開放位置Ｆにあることのみを検出できれば良いのであれば、フラッパ１２の一方の取付片２６ａのみに第２の長溝３０を設けて可動マグネット３６ａを取り付けるようにするだけでよい。
【００１７】
また、従来例でも述べたように、可動マグネット３６ａ、３６ｂや固定マグネット３２の磁力にはバラツキがあり、このため流路１６内に所定の流量の流体が流れている場合であっても、個々のフロースイッチ１０毎にフラッパ１２の回動角度にバラツキが生ずる。よって、検出する流量を精度よく設定するためには、フラッパ１２の回動角度を検出するリードスイッチ３８を、ボディ部１４に対して第１の回動軸Ｄを中心に任意に回動でき、その回動位置で固定できる構成とすると良い。
この構成によって、流路１６内に所定の流量の流体を予め流した状態でリードスイッチ３８、４０を第１の回動軸Ｄを中心に個々に回動し、スイッチ状態がオフからオンとなる位置で固定すると、マグネットの磁力にバラツキがあってフロースイッチ１０毎に所定の流量におけるフラッパ１２の回動角度にバラツキが生じる場合であっても、正確に所定の流量の検出ができるようにリードスイッチ３８のボディ部１４に対する取付角度を設定することができる。
【００１８】
次に、リードスイッチ３８、４０をボディ部１４に対して回動自在に取り付ける具体的な構造の一実施の形態について図５〜図８を用いて説明する。
まず、筒状に形成されたボディ部１４の外周面には、内部に流路１６の一部を構成する空間部４２が形成された箱状の突出部４４が設けられている。この突出部４４の両側面４６ａ、４６ｂは第１の回動軸Ｄに対して直交する平面に形成されている。
４８ａ、４８ｂは合成樹脂製の回動台であり、ボディ部１４の外部側面４６ａ、４６ｂに、第１の回動軸Ｄを中心として回動自在にそれぞれ取り付けられている。また、回動台４８ａ、４８ｂの端縁の一部（図６中の上側の端縁）は円弧状に形成され、この円弧部分はウォームギア５０に形成されている。
そして回動台４８ａ、４８ｂの突出部４４側の内面には図８に示すようにリードスイッチ３８、４０が、その中心が第１の回動軸Ｄと一致するように取り付けられている。このリードスイッチ３８、４０はリードスイッチ３８、４０の信号を外部に取り出す電線５２と共に回路基板５４に半田付けされ、この回路基板５４が回動台４８ａ、４８ｂに一例としてネジを用いて取り付けられている。つまり、リードスイッチ３８、４０は回路基板５４を介して各回動台４８ａ、４８ｂに固定されている。なお、図６の５６は電線５２とリードスイッチ３８、４０とを電気的に接続するため、回路基板５４上に形成された回路パターンである。
【００１９】
５８はウォームとしての調節用雄ネジであり、回動台４８ａ、４８ｂのそれぞれのウォームギア５０と噛合するように突出部４４の上部に、突出部４４の両側面４６ａ、４６ｂに沿って配されている。一例として調節用雄ネジ５８は金属材料を用いて形成されているが、合成樹脂材料を用いてもよい。
６０は押さえ板であり、金属平板を用いて形成されている。押さえ板６０の上部には方形の延出部分が設けられ、当該延出部分はＬ字状に９０度折曲されている。また、略中央部分には回動台４８ａ、４８ｂの中心に突設された支持軸６２が挿入可能な軸孔６４が設けられ、さらに軸孔６４と上記延出部分との間には、軸孔６４を中心とした円周上に沿って延びる円弧孔６６が設けられている。
この押さえ板６０を突出部４４の両外部側面４６ａ、４６ｂに、回動台４８ａ、４８ｂと調節用雄ネジ５８を覆うようにネジ止めすることによって、回動台４８ａ、４８ｂと調節用雄ネジ５８が突出部４４の両外部側面４６ａ、４６ｂに回動自在、かつ抜脱不能に取り付けられる。
また、６８は固定手段としての固定ネジであり、押さえ板６０の外方から円弧孔６６を通して、円弧孔６６に対応して設けられた回動台４８ａ、４８ｂのネジ孔７０に螺合されている。
【００２０】
上記構造により、ウォームとしての調節用雄ネジ５８をドライバ等で回動させると、調節用雄ネジ５８と噛合する回動台４８ａ、４８ｂが支持軸６２、つまり第１の回動軸Ｄを中心として回動する。これにより、第１の回動軸Ｄを中心としてリードスイッチ３８もボディ部１４に対して回動する。
所定の角度回動させた後には、固定ネジ６８を締めつけて固定ネジ６８の頭部内面と回動台４８ａ、４８ｂとの間で押さえ板６０を挟持し、外力が回動台４８ａ、４８ｂに加わった際に回動台４８ａ、４８ｂが回動して流量検出設定がズレることを防止する。
なお、本実施の形態では、流量検出設定の後に回動台４８ａ、４８ｂの回動を確実に防止するため、固定ネジ６８を別途設けたが、固定ネジ６８を設けなくとも調節用雄ネジ５８だけでも回動台４８ａ、４８ｂの回動をある程度抑制できる。
また、フラッパ１２による流体の流量検出が一つの流量値だけを検出するものである場合には、回動台４８ａ、４８ｂ、リードスイッチ３８、調節用雄ネジ５８および押さえ板６０は上記のように２組設けなくとも、１組だけでよい。
【００２１】
また、フラッパ１２は、流路１６を流れる液体の比重と略同じ比重の合成樹脂材料を用いて形成すれば、流体内におけるフラッパ１２に加わる重力と流体からフラッパ１２に加わる浮力とが略同一となり、フロースイッチ１０の設置角度や向きを変えても所定の流量の検出が可能となる。
また、上記の実施の形態では、フラッパ１２、つまり可動マグネット３６の回動位置の検出を近接スイッチの一例であるリードスイッチを用いて行っているが、その他磁気抵抗素子や磁気コイル、さらにはホール素子等の磁気検出手段を用いてもよい。
【００２２】
また、上記実施の形態では、図７に示すように突出部４４の上面に空間部４２に連通する開口部７２を設け、この開口部７２から支持部１８および支持部１８に取り付けたフラッパ１２を空間部４２内に装着する。その後、開口部７２を蓋体７４で閉めると共に、蓋体７４と開口部７２の口縁との間で支持部１８の幅広部７６を挟持して支持部１８を突出部４４に固定しているが、ボディ部１４の内壁面に直接支持部１８を延設する構造としても良い。
【００２３】
以上、本発明の好適な実施の形態について種々述べてきたが、本発明は上述する実施の形態に限定されるものではなく、発明の精神を逸脱しない範囲で多くの改変を施し得るのはもちろんである。
【００２４】
【発明の効果】
本発明に係るフラッパ式フロースイッチを用いると、可動マグネットがフラッパの第１の回動軸を中心としてＮ極とＳ極が点対称となるように取り付けられているため、可動マグネットに作用する重力がフラッパの回動に影響を与えることがない。よって、フラッパの取り付け向きを変えても正確な流量の検出が行える。また、固定マグネットも支持部に、同じ第１の回動軸を中心としてＮ極とＳ極が点対称となるように取り付けられており、フラッパが回動しても固定マグネットと可動マグネットとが離間しない。よって、固定マグネットと可動マグネットとの間に常時フラッパを回動させるための反発・吸引力が生じており、フラッパの回動角度によるフラッパに作用する回動力の変化の度合いが少なくなる。このため、回動角度に基づいて流量を検出する場合により正確な流量検出が行える。また、磁気センサをボディ部の外部側面で、第１の回動軸を中心として回動自在な回動台に取り付ける構成とすれば、可動マグネットの回動角度を検出する磁気センサと可動マグネットとの位置関係を容易、かつ正確に変更できる。よって、可動マグネットや固定マグネットの磁力にバラツキがあり、流量が一定でも通常フローセンサ毎にフラップの回動角度が変化するが、回動台をボディ部に対して微妙に回動させることによって可動マグネットに対する磁気センサの位置を微調し、検出流量を正確に所定の流量に設定することが可能となる。また、併せて磁気センサの感度のバラツキも補正できるという著効を奏する。
【図面の簡単な説明】
【図１】本発明に係るフラッパ式フロースイッチのフラッパおよび支持部の構造を示す側面要部断面図（フラッパが流体圧を受けて大きく回動している状態）。
【図２】図１の状態から流体圧が減少して、フラッパの回動角度が少ない状態を示す側面要部断面図。
【図３】支持部とフラッパの構造を示す側面図。
【図４】支持部とフラッパの組み立て構造を示す正面分解組立図。
【図５】フラッパ式フロースイッチの一実施の形態の構造を示す平面図。
【図６】図５の側面図。
【図７】図５のＧ−Ｇ断面図。
【図８】図５、図６のＨ−Ｈ断面図。
【図９】従来のフラッパ式フロースイッチの構造を示す側面断面図。
【符号の説明】
１０  フラッパ式フロースイッチ
１２  フラッパ
１４  ボディ部
１６  流路
１８  支持部
３２  固定マグネット
３６ａ、３６ｂ  可動マグネット
３８  リードスイッチ
【図１】
0003581896.tif 000002
【図２】
0003581896.tif 000003
【図３】
0003581896.tif 000004
【図４】
0003581896.tif 000005
【図５】
0003581896.tif 000006
【図６】
0003581896.tif 000007
【図７】
0003581896.tif 000008
【図８】
0003581896.tif 000009
【図９】
0003581896.tif 000010